(57)【要約】【課題】フォーク移動体を安定した動作で円滑に作動し、而も走行装置に故障を生じても、チェーンの一部を取換える等の簡単な修理や応急手当を可能にし軽量で負荷が少なく、而もコスト的にも安価で使い易い、実用性の高い海苔船フォーク移動装置を提供する。【解決手段】フォーク体を、船首側と船尾側に間隔を隔てて船体上の受台１８、１９間に横架された主ガイドレール１３と、この主ガイドレールと平行に設けられたアングル形の補助ガイド１６とに上下２点支持で前後スライド自由に担持されたフォーク移動体１４に取付け、前記受台１８、１９間にモータＭで駆動されるようにチェーン１７を張設して、このチェーンにフォーク移動体１４を連結する。主ガイドは中空パイプで構成するとともに、その中空部にチューンを挿通する。【選択図】　　図１
0003098903.tif 000002
【実用新案登録請求の範囲】
【請求項１】
水中に敷設された海苔網（１）を下から掬い上げるように誘導するフォーク体（１１）と、このフォーク体に誘導された網を船体上に持ち上げるように支持すると同時に船体の進行くぐり抜けを案内する固定ガイド枠（１２）とを船体（１０）に備えた海苔船フォーク装置において、前記フォーク体（１１）は、船首側と船尾側に間隔を隔てて船体上の受台（１８、１９）間に横架された主ガイドレール（１３）と、この主ガイドレールと平行に設けられたアングル形の補助ガイド（１６）とに上下２点支持で前後スライド自由に担持されたフォーク移動体（１４）に取付け、前記受台（１８、１９）間にモータ（Ｍ）で駆動されるようにチェーン（１７）を張設して、このチェーンにフォーク移動体（１４）を連結してなることを特徴とする海苔船フォーク移動装置。
【請求項２】
船体（１０）上の受台（１８、１９）間に横架された主ガイドレール（１３）を、中空パイプで構成するとともに、その中空部をトンネルガイドとして走行するようにチェーン（１７）の片側（１７ａ）を挿通してなることを特徴とする請求項１記載の海苔船フォーク移動装置。
【請求項３】
前記フォーク移動体（１４）のチェーン連結部（１４ａ）と、チェーン（１７）の至端部（１７ｂ）との間にボルト（２０ａ）とナット（２０ｂ）の螺回動によるテンション装置（２０）を設けてなる請求項１又は２のいづれかに記載の海苔船フォーク移動装置。
【考案の詳細な説明】
【０００１】
【考案の属する技術分野】
本考案は、海苔の養殖において、水中に仕掛けられた海苔網から海苔を採集する場合における船の進行に伴い網を持ち上げるための謂ゆるつの出しと称するフォークを進退移動するように作動させる装置、特に海苔船フォーク移動装置に関する。
【０００２】
【従来の技術】
海苔の養殖において、作業に使用される海苔船には、海中の海苔網を船の進行につれて下から掬い上げるように誘導して船体上のガイドへ案内するフォークを備えている。このフォークは必要なときに船体の舳から海中へ突入するように船首側へ移動させるが、それ以外のときは船体上へ引き上げるために船尾側へ移動させておくようになっている。
【０００３】
従来、このような海苔船フォーク移動装置としては、図６に示すものが知られている。この従来の装置を図６を参照して説明する。
【０００４】
フォーク移動体４４は、固定軸からなる１本のレール４３とそれに平行な送り用ねじシャフト４６に保持してなりフォーク移動体４４には支持レール４３に対する４つのローラー４１と送り用ねじシャフト４６に対するガイドローラー４２を設けてなるものである。
【０００５】
フォーク移動体４４は、送り用ねじシャフト４６の端部に設けたモータＭの駆動により送り用ねじシャフト４６を正又は逆回転させると、ねじの螺合で軸方向に移動するというものである（例えば、特許文献１参照）。
【０００６】
【特許文献１】
実用新案登録第３０４９６５２号公報（第７段落、及び図２）。
【０００７】
【考案が解決しようとする課題】
上記した従来（特許文献１）のフォーク移動装置においては、ボックス形の移動体内に支持レールに対応するローラーと送り用ねじシャフトに対応するガイドローラーを組込んで構成され、且つ送り用ねじシャフトをモータで駆動回転するものである為移動体を含む全体の構造が複雑で而も送り用ねじシャフトが故障すると全体を取替えなければならない為現場で修理したり応急手当が困難で海苔船操業上に多大の支障を来し、又耐久性、コストの面でも問題点があった（第１の課題）。
【０００８】
本考案は、フォーク移動体を安定した動作で円滑に作動し、而も走行装置に故障を生じても、チェーンの一部を取換える等の簡単な修理や応急手当を可能にし軽量で負荷が少なく、而もコスト的にも安価で使い易い、実用性の高い海苔船フォーク移動装置を提供することを目的とする。
【０００９】
【課題を解決するための手段】
上記課題を解決するために、本考案における第１の技術手段は、水中に敷設された海苔網１を下から掬い上げるように誘導するフォーク体１１と、このフォーク体に誘導された網を船体上に持ち上げるように支持すると同時に船体の進行くぐり抜けを案内する固定ガイド枠１２とを船体１０に備えた海苔船フォーク装置において、前記フォーク体１１は、船首側と船尾側に間隔を隔てて船体上の受台１８、１９間に横架された主ガイドレール１３と、この主ガイドレールと平行に設けられたアングル形の補助ガイド１６とに上下２点支持で前後スライド自由に担持されたフォーク移動体１４に取付け、前記受台１８、１９間にモータＭで駆動されるようにチェーン１７を張設して、このチェーンにフォーク移動体１４を連結してなることを特徴とする。
【００１０】
上記技術手段によれば、フォーク移動体の送りを安定した動作で円滑に行い、而も船上で万一チェーン切れ等の故障等が発生しても部分的な修理又は応急手当で操業を中断することなく継続することができる。
【００１１】
また、本考案の第２の技術手段は、船体１０上の受台１８、１９間に横架された主ガイドレール１３を、中空パイプで構成するとともに、その中空部をトンネルガイドとして走行するようにチェーン１７の片側１７ａを挿通してなることを特徴とする。
【００１２】
斯る構成とすることにより、チェーンの駆動を円滑にして、而もパイプ内に保護されて安全性が高められる。
【００１３】
さらに、本考案における第３の技術手段は、フォーク移動体１４のチェーン連結部１４ａと、チェーン１７の至端部１７ｂとの間にボルト２０ａとナット２０ｂの螺回動によるテンション装置２０を設けてなることを特徴とする。
【００１４】
本考案は上記構成とすることによりフォーク移動体を連結したチェーンに緩みを生じた場合でも、テンション装置による簡単な操作でチェーン全体を適正な緊張度に調整することができる。
【００１５】
【考案の実施の形態】
以下、添付図面を参照して本考案の好ましい実施例を説明する。図１乃至図５は本考案の一実施例を説明するための図であり、図１は海苔船の側面図で、図２はフォーク移動装置の側面図、図３はその要部の側面図、図４（イ）は図３のＡ−Ａ線からみた断面図、同（ロ）はテンション装置の側面図である。また図５は本考案フォーク移動装置の第２の実施例を示す側面図である。図１に示すように、船体１０には、前部を舳側に、後部を船尾側に固定したもので左右一対にして固定ガイド枠１２が設置され、また前部と後部に間隔を隔てて一対の受台１８、１９が設置されている。主ガイドレール１３と補助ガイド１６は上下に平行間隔を保って前後両端を前記受台１８、１９に取付けられている。
【００１６】
フォーク移動体１４は箱形に形成し、内部に上部ローラー２１と、下部ローラー２２を設けて上部ローラー２１は主ガイドレール１３に上部より嵌置し、下部ローラー２２は補助ガイド１６に下から当接することにより上下２点支持で前後スライド自由に担持される。前後２連にすると３点又は４点支持となる。
【００１７】
フォーク体１１は先端部が船体の前方へ突出するように基端（後）部を枢軸１５によりフォーク移動体１４に取付けられており、枢軸１５を支点に上下方向に遊回動しうる。このようなフォーク体１１は、その中間部分の一点を主ガイド枠１２にスライド自由に係止され、フォーク移動体１４のスライド移動とともに、枢軸１５を支点に上下動と前後方向の動きによって所定と通りに進退移動するものである。
【００１８】
前部と後部に間隔を隔てて船体１０上に設置された前後の受台１８、１９に夫々一対のチェーンホイール２３、２４を設ける。このチェーンホイールの一方（例えば２４）にモータＭを接続してこれを駆動側にする。また他方を従動側にして両チェーンホイール２３、２４にチェーン１７を張設する。モータＭは油圧モータ又は電動モータが用いられる。チェーン１７はリンクチェーン又はローラーチェーンが望ましい。このようなチェーンは、１本のチェーンを用いて輪状にし、至端部をフォーク移動体１４に連結する。このフォーク移動体１４のチェーン連結部１４ａとチェーン１７の至端部１７ｂの間に図３及び図４（ロ）に示すように、ボルト２０ａとナット２０ｂからなるテンション装置２０を設けている。テンション装置２０は両側に２ヶ所、又は少なくとも片側に設ける。
【００１９】
主ガイドレール１３は、中空パイプで構成してその中空部にチェーン１７の片側（上部）１７ａを挿通し、中空部をトンネルガイドにしてチェーンを一直線状に走行するように案内する。主ガイドレール１３は中空パイプのため、太くしても軽量で強度も大きい。
【００２０】
補助ガイド１６は断面山形のアングルを用いて、チェーン下側１７ｃを上方より覆う構成となす。
【００２１】
図５は、第２の実施例が示されている。この実施例ではエンドレスでない１本のチェーン１７を用いて、チェーン両端を前後チェーンホイール２３、２４に巻き付けるように固着し、前後両チェーンホイール２３、２４の両方にモータＭを接続して個別に駆動することでチェーンホイール２３、２４を正逆に駆動させる。また、補助ガイドは使用ぜす、主ガイドレール１３のみとする。主ガイドレール１３は中空パイプでも、中空でない丸又は角形のもので差し仕えない。チェーン１７は、主ガイドレール１３に沿ったものとなし、フォーク移動体１４は、主ガイドレール１３に上下からガイドローラー２１、２２で挟持した形で保持される。
【００２２】
【作用】
海苔の採集において、船体１０が海苔網１の下を走行するとき、図１に示すようにフォーク移動体１４を船首側に移動させて、フォーク体１１を船首の舳から海中へ突入するようになす。
【００２３】
この状態で船体を進行させると、フォーク体１１で網１を掬い上げ上方へ誘導しながら固定ガイド１２上に支持させる。船体はそのまま進行するが、その間に網１に附着した海苔を採集する。
【００２４】
採集を終えると、フォーク体１１は引き上げられて船体上部の後方へ移動させるが、この移動はモータＭの移動によりチェーンホイール２４、２３が回動し、チェーン１７が正方向（時計方向）に回送される。従ってこのチェーン１７に連結したフォーク移動体１４がチェーンとともに主ガイドレール１３、補助ガイド１６に案内されてスライド移動することでフォーク体１１が船体１０上に引き上げられる。
【００２５】
チェーン１７は多数のリンク片とピンの結合体であるから途中で切れるような事態が発生することがある。また強大な緊張が間断なく生じているため、緩みを生じることもある。チェーンが切断した場合には、切断箇所のリンク片とピンを新しいものに取替えることで簡単に補修できる。またチェーンが緩んだ場合はテンション装置２０のボルト２０ａ、ナット２０ｂを緊締方向へ螺合することで対処できる。
【００２６】
【考案の効果】
本考案は上記のように構成されているので、フォーク移動体の送りをチェーンの駆動と主ガイドレール及び補助ガイドの案内により軽く円滑に行うことができるとともに、万一チェーンが切れる等の故障が生じても、その場で簡単迅速に部分的に補修をすることができ、従来のように送りねじシャフト全部を交換するようなことが回避されてコスト的にも有利である。
【００２７】
また、請求項２の考案によればチェーンは中空パイプ内をトンネルガイドに案内されながら一直線状に走行するため、チェーンが外気、海水から保護され、安全且つ軽快に作動することができる。
【００２８】
さらに、請求項３の考案においては、チェーンの緩みや張力をテンション装置で簡単に適正に調節することができる。
【図面の簡単な説明】
【図１】本考案フォーク移動装置を備えた海苔船全体の側面図である。
【図２】本考案のフォーク移動装置の側面図である。
【図３】本考案装置の要部の拡大した側面図である。
【図４】（イ）は図３のＡ−Ａ線からみた断面図、（ロ）はテンション装置の側面図である。
【図５】本考案装置の側面図で、第２の実施例を示している。
【図６】従来のフォーク移動装置の側面図である。
【符号の説明】
１０　　　船体
１１　　　フォーク体
１２　　　固定ガイド枠
１３　　　主ガイドレール
１４　　　フォーク移動体
１５　　　枢軸
１６　　　補助ガイド
１７　　　チェーン
１８、１９　受台
２０　　　テンション装置
２１、２２　ガイドローラー
２３、２４　チェーンホイール
Ｍ　　　　モータ
【図１】
0003098903.tif 000003
【図２】
0003098903.tif 000004
【図３】
0003098903.tif 000005
【図４】
0003098903.tif 000006
【図５】
0003098903.tif 000007
【図６】
0003098903.tif 000008